(57)【要約】【課題】  折畳み型の携帯端末において、画面スペースを最大限に活かし、さらに、端末操作の向上をも実現する。【解決手段】  下部筐体である本体部１と、上部筐体であるスライド及び開閉部２と、本体部１に固着されている本体側ヒンジ部３と、スライド及び開閉側ヒンジ部２に固着されているスライド及び開閉側ヒンジ部４と、本体側ヒンジ部３の下端部に固着される中心軸５とで構成され、スライド及び開閉側ヒンジ部２と本体側ヒンジ部３とによってスライド及び開閉部２がスライドするとともに開閉自在である折畳み型の携帯端末。【選択図】      図５
2005076688.tif 000002
【特許請求の範囲】
【請求項１】
上部筐体と下部筐体の２つの装置がヒンジユニットにより開閉自在に連結された折畳み型携帯端末において、前記ヒンジユニットは、
前記上部筐体に固着され、ガイド部を有する第１のヒンジユニットと、
前記下部筐体に固着され、前記ガイド部をスライドさせるためのスライド部を有する第２のヒンジユニットと、
を有し、前記上部筐体が前記下部筐体に対してスライドすることを特徴とする折畳み型携帯端末。
【請求項２】
前記上部筐体及び前記下部筐体の一方に備えられたガイドストッパと、
前記上部筐体及び前記下部筐体の他方に備えられた前記ガイドストッパをスライドさせるためのガイドレール溝と、を更に有し、
前記ヒンジユニットと共働して、前記下部筐体に対する前記上部筐体のスライドを可能にすることを特徴とする請求項１記載の折畳み型携帯端末。
【請求項３】
前記第１のヒンジユニットと前記第２のヒンジユニットと、に互いの回転範囲及びスライド範囲を規制するためのストッパを有すること特徴とする請求項１記載の折畳み型携帯端末。
【請求項４】
前記第１、第２のヒンジユニットはいずれも中空であって、前記第２のヒンジユニットに前記第１のヒンジユニットが内挿されており、
前記第１のヒンジユニットに内挿されて前記第２のヒンジユニットの一端に固着されてた中心軸と、該中心軸に外嵌され、前記第１のヒンジユニットに対してそのスライド方向に付勢力を与えるスプリングとを更に備え、
前記スプリングの付勢力によりワンタッチで前記上部筐体をスライドさせることが可能であることを特徴とする請求項１記載の折畳み型携帯端末。
【請求項５】
上部筐体と下部筐体の２つの装置がヒンジユニットにより開閉自在に連結された折畳み型携帯端末において、前記ヒンジユニットは、
前記上部筐体に固着され、ガイド部を有する第１のヒンジユニットと、
前記下部筐体の両端に固着され、前記ガイド部をスライドさせるための第１のスライド部を有する第２のヒンジユニットと、
前記第２のヒンジユニットに回転可能に挟装され、前記ガイド部をスライドさせるための、前記第１のスライド部から延長された第２のスライド部を有する第３のヒンジユニットと、
を有し、前記上部筐体が前記下部筐体に対してスライドすることを特徴とする折畳み型携帯端末。
【請求項６】
前記上部筐体及び前記下部筐体の一方に備えられたガイドストッパと、
前記上部筐体及び前記下部筐体の他方に備えられた前記ガイドストッパをスライドさせるためのガイドレール溝と、を更に有し、
前記ヒンジユニットと共働して、前記下部筐体に対する前記上部筐体のスライドを可能にすることを特徴とする請求項５記載の折畳み型携帯端末。
【請求項７】
前記第１のヒンジユニットと、前記第２及び第３のヒンジユニットの少なくとも一方とに、前記下部筐体に対する前記上部筐体のスライド範囲を規制するためのストッパを有すること特徴とする請求項５記載の折畳み型携帯端末。
【請求項８】
前記第１、第２のヒンジユニットはいずれも中空であって、前記第２のヒンジユニットに前記第１のヒンジユニットが内挿されており、
前記第１のヒンジユニットに内挿されて前記第２のヒンジユニットの一端に固着されてた中心軸と、該中心軸に外嵌され、前記第１のヒンジユニットに対してそのスライド方向に付勢力を与えるスプリングとを更に備え、
前記スプリングの付勢力によりワンタッチで前記上部筐体をスライドさせることが可能であることを特徴とする請求項５記載の折畳み型携帯端末。
【請求項９】
上部筐体と下部筐体の２つの装置がヒンジユニットにより開閉自在に連結された折畳み型携帯端末において、
前記ヒンジユニットが、前記上部筐体と前記下部筐体とを所定の回転中心軸を中心に開閉自在に連結する回転機構に加えて、前記上部筐体と前記下部筐体とを前記回転中心軸の軸方向に互いにスライド自在に連結するスライド機構を備えることを特徴とする折畳み型携帯端末。
【発明の詳細な説明】
【技術分野】
【０００１】
本発明は、折畳み型の携帯端末に関する。
【背景技術】
【０００２】
近年の携帯電話やＰＤＡ等の携帯端末は、技術の向上によって処理速度が飛躍的に向上している。そのため、本来の目的以外の機能を多数有するようになってきている。例えば、携帯電話にあっては、本来の目的である通話機能の他に、ＴＶ電話機能や、カメラ機能、ビデオ撮影／表示機能、ゲーム機能、音楽再生機能、スケジュール機能等の多くの機能が備えられるようになってきている。
【０００３】
これにともなって、またこれに関連して、携帯端末の表示機能や操作機能を改善するために様々な発明が開示されている。
例えば、特許文献１には、ユーザに対して所定情報を画面表示する液晶表示部が前面に設けられた本体部と、ユーザによるキー操作によって所定情報を入力するキー操作部が前面に設けられたスライド部とから構成され、スライド部が、本体部の液晶表示部上を覆うようにスライド移動するように、本体部及びスライド部にスライド機構が設けられている携帯端末装置について開示されている。
【特許文献１】特開２００２−１５２３４７号公報
【発明の開示】
【発明が解決しようとする課題】
【０００４】
しかしながら、従来の折畳み型携帯端末では、画面縦横比率が縦＞横となっており、動画コンテンツの視聴時、ＴＶ電話通話時、ゲームする際、人間の視野（比率：縦＜横）とは違うため、画面縦横比を縦＜横の画面を見る際は、画面のスペースを最大限に活かすことが難しかった。
【０００５】
また、従来の折畳み型携帯端末では、片手で携帯端末を操作する構造となっているため、ゲームコンテンツ使用時、インターネット接続時等に携帯端末操作が不便であった。
本発明は、このような従来の構成が有していた問題を解決しようとするものであり、画面スペースを最大限に活かし、さらに、端末操作の向上をも実現することを目的とするものである。
【課題を解決するための手段】
【０００６】
請求項１記載の発明は、上部筐体と下部筐体の２つの装置がヒンジユニットにより開閉自在に連結された折畳み型携帯端末において、前記ヒンジユニットは、前記上部筐体に固着され、ガイド部を有する第１のヒンジユニットと、前記下部筐体に固着され、前記ガイド部をスライドさせるためのスライド部を有する第２のヒンジユニットと、を有し、前記上部筐体が前記下部筐体に対してスライドすることを特徴とする折畳み型携帯端末である。
【０００７】
請求項１記載の発明によると、上部筐体と下部筐体の２つの装置を連結するヒンジユニットは、自在に開閉可能であることに加え、ガイド部を有する第１のヒンジユニットと、前記ガイド部をスライドさせるためのスライド部を有する第２のヒンジユニットとがスライドする作用によって、第１のヒンジユニットに固着される前記上部筐体と、第２のヒンジユニットに固着される前記下部筐体とがスライドすることを可能とする効果を奏する。
【０００８】
請求項２記載の発明は、前記上部筐体及び前記下部筐体の一方に備えられたガイドストッパと、前記上部筐体及び前記下部筐体の他方に備えられた前記ガイドストッパをスライドさせるためのガイドレール溝と、を更に有し、前記ヒンジユニットと共働して、前記下部筐体に対する前記上部筐体のスライドを可能にすることを特徴とする請求項１記載の折畳み型携帯端末である。
【０００９】
請求項２記載の発明によると、前記上部筐体及び前記下部筐体の一方に備えられたガイドストッパと、前記上部筐体及び前記下部筐体の他方に備えられたガイドレール溝とがスライドする作用によって、前記第１のヒンジユニットと第２のヒンジユニットとによる前記上部筐体と前記下部筐体とのスライドの際に、前記上部筐体と前記下部筐体とが開閉してしまうことを防止する効果を奏する。また、前記スライドの際の前記上部筐体と前記下部筐体とのに生じるスライド方向以外の方向へのズレを防止し、前記方向への強度を高める効果を奏する。
【００１０】
請求項３記載の発明は、前記第１のヒンジユニットと前記第２のヒンジユニットと、に互いの回転範囲及びスライド範囲を規制するためのストッパを有すること特徴とする請求項１記載の折畳み型携帯端末である。
請求項３記載の発明によると、前記第１のヒンジユニットに備えられたストッパと、前記第２のヒンジユニットに備えられたストッパとが当接又は係合することによって、前記上部筐体と前記下部筐体とがスライドする場合には、スライドする距離を制限することを可能にする効果を奏する。また、前記上部筐体と前記下部筐体とが開閉する場合にあっては、開閉する角度を制限することを可能にする効果を奏する。
【００１１】
請求項４記載の発明は、前記第１、第２のヒンジユニットはいずれも中空であって、前記第２のヒンジユニットに前記第１のヒンジユニットが内挿されており、前記第１のヒンジユニットに内挿されて前記第２のヒンジユニットの一端に固着されてた中心軸と、該中心軸に外嵌され、前記第１のヒンジユニットに対してそのスライド方向に付勢力を与えるスプリングとを更に備え、前記スプリングの付勢力によりワンタッチで前記上部筐体をスライドさせることが可能であることを特徴とする請求項１記載の折畳み型携帯端末である。
【００１２】
請求項４記載の発明によると、前記第２のヒンジユニットの一端に固着された中心軸が有するスプリングと、前記第１のヒンジユニットとの間の弾性力によって、前記第１のヒンジユニットはスライド方向に押圧される作用が生じる。その結果、前記上部筐体を前記下部筐体に対してスライドさせる場合には、前記上部筐体をスライド方向に軽く押し出す（ワンタッチ）ことによって容易にスライドさせることを可能にする効果を奏する。
【００１３】
請求項５記載の発明は、上部筐体と下部筐体の２つの装置がヒンジユニットにより開閉自在に連結された折畳み型携帯端末において、前記ヒンジユニットは、前記上部筐体に固着され、ガイド部を有する第１のヒンジユニットと、前記下部筐体の両端に固着され、前記ガイド部をスライドさせるための第１のスライド部を有する第２のヒンジユニットと、前記第２のヒンジユニットに回転可能に挟装され、前記ガイド部をスライドさせるための、前記第１のスライド部から延長された第２のスライド部を有する第３のヒンジユニットと、を有し、前記上部筐体が前記下部筐体に対してスライドすることを特徴とする折畳み型携帯端末である。
【００１４】
請求項５記載の発明によると、第１のヒンジユニットが、前記第２のヒンジユニットに回転可能に挟装され前記ガイド部とスライドさせるためのスライド部を有する前記第３のヒンジユニットに掛止される作用により、前記第３のヒンジユニットが回転し、自在に開閉可能となる効果を奏する。さらに、スライド部を有する第１のヒンジユニットと、前記ガイド部をスライドさせるためのスライド部を有する第２のヒンジユニットと、前記第２のヒンジユニットに回転可能に挟装され前記ガイド部とスライドさせるためのスライド部を有する第３のヒンジユニットと、がスライドする作用によって、第１のヒンジユニットに固着される前記上部筐体と、第２のヒンジユニットに固着される前記下部筐体とがスライドすることを可能とする効果を奏する。
【００１５】
請求項６記載の発明は、前記上部筐体及び前記下部筐体の一方に備えられたガイドストッパと、前記上部筐体及び前記下部筐体の他方に備えられた前記ガイドストッパをスライドさせるためのガイドレール溝と、を更に有し、前記ヒンジユニットと共働して、前記下部筐体に対する前記上部筐体のスライドを可能にすることを特徴とする請求項５記載の折畳み型携帯端末である。
【００１６】
請求項６記載の発明によると、前記上部筐体及び前記下部筐体の一方に備えられたガイドストッパと、前記上部筐体及び前記下部筐体の他方に備えられたガイドレール溝とがスライドする作用によって、前記上部筐体と前記下部筐体とのスライドの際に、前記上部筐体と前記下部筐体とが開閉してしまうことを防止する効果を奏する。また、前記スライドの際の前記上部筐体と前記下部筐体とのに生じるスライド方向以外の方向へのズレを防止し、前記方向への強度を高める効果を奏する。
【００１７】
請求項７記載の発明は、前記第１、第２のヒンジユニットはいずれも中空であって、前記第２のヒンジユニットに前記第１のヒンジユニットが内挿されており、前記第１のヒンジユニットに内挿されて前記第２のヒンジユニットの一端に固着されてた中心軸と、該中心軸に外嵌され、前記第１のヒンジユニットに対してそのスライド方向に付勢力を与えるスプリングとを更に備え、前記スプリングの付勢力によりワンタッチで前記上部筐体をスライドさせることが可能であることを特徴とする請求項５記載の折畳み型携帯端末である。
【００１８】
請求項７記載の発明によると、前記第１のヒンジユニットに備えられたストッパと、前記第２のヒンジユニットまたは前記第３のヒンジユニットに備えられたストッパとが当接又は係合することによって、前記上部筐体と前記下部筐体とがスライドする場合には、スライドする距離を制限することを可能にする効果を奏する。また、前記上部筐体と前記下部筐体とが開閉する場合にあっては、開閉する角度を制限することを可能にする効果を奏する。
【００１９】
請求項８記載の発明は、上部筐体と下部筐体の２つの装置がヒンジユニットにより開閉自在に連結された折畳み型携帯端末において、前記ヒンジユニットが、前記上部筐体と前記下部筐体とを所定の回転中心軸を中心に開閉自在に連結する回転機構に加えて、前記上部筐体と前記下部筐体とを前記回転中心軸の軸方向に互いにスライド自在に連結するスライド機構を備えることを特徴とする折畳み型携帯端末である。
【００２０】
請求項８記載の発明によると、請求項４記載の発明と同様に、前記第２のヒンジユニットの一端に固着された中心軸が有するスプリングと、前記第１のヒンジユニットとの間の弾性力によって、前記第１のヒンジユニットはスライド方向に押圧される作用が生じる。その結果、前記上部筐体を前記下部筐体に対してスライドさせる場合には、前記上部筐体をスライド方向に軽く押し出す（ワンタッチ）ことによって容易にスライドさせることを可能にする効果を奏する。
【００２１】
請求項９記載の発明は、上部筐体と下部筐体の２つの装置がヒンジユニットにより開閉自在に連結された折畳み型携帯端末において、前記ヒンジユニットが、前記上部筐体と前記下部筐体とを所定の回転中心軸を中心に開閉自在に連結する回転機構に加えて、前記上部筐体と前記下部筐体とを前記回転中心軸の軸方向に互いにスライド自在に連結するスライド機構を備えることを特徴とする折畳み型携帯端末である。
【発明の効果】
【００２２】
本発明によると、上部筐体側のヒンジユニット部と、下部筐体側のヒンジユニット部とがスライドする機能と、前記上部筐体と前記下部筐体とが前記上部筐体側のヒンジユニット部と前記下部筐体側のヒンジユニットとを介して自在に開閉できる機能と、を有する折り畳み型携帯端末を提供することができる。
【００２３】
よって、前記上部筐体と前記下部筐体とを開閉して使用することにより、画面スペースを最大限に活かすことが可能となり、さらに、前記上部筐体と前記下部筐体とをスライドして使用することにより、容易に端末操作を行なうことが可能となる。
【発明を実施するための最良の形態】
【００２４】
以下、本発明の実施例を図１〜図１３に基づいて説明する。
【実施例１】
【００２５】
図１は、本発明の第１実施例である折畳み型携帯端末の分解図である。
同図に示すように、第１実施例の折畳み型携帯端末は、下部筐体である本体部１と、上部筐体であるスライド及び開閉部２と、本体部１に固着されている本体側ヒンジ部３と、スライド及び開閉部２に固着されているスライド及び開閉側ヒンジ部４と、本体側ヒンジ部３の下端部に固着される中心軸５とで構成される。
【００２６】
本体部１には操作部１ａ、１ｂ、通話用マイク１ｃが備えられている。操作部１ａ、１ｂは、通常の携帯端末の操作の他に、図５に示すようにスライド及び開閉部２を開いてゲーム等の両手で操作をする必要がある場合には、例えば、左手で操作部１ａを操作し、右手で操作部１ｂを操作することが可能となる。
【００２７】
スライド及び開閉部２には、表側と裏側（図示せず）とに表示部２ａ、２ｄ、カメラ２ｂ、２ｆ、通話用スピーカ２ｃ、多目的スピーカ２ｅ等が備えられている。例えば、表示部２ａは、スライド及び開閉部２をスライドさせて、通常の携帯端末のように操作部１ａ、１ｂを操作する時に使用する。また、カメラ２ｂで写真や動画の撮影ができる。さらに、図５に示すようにスライド及び開閉部２を開いた状態では、表示部２ｄに、ゲームやテレビ電話、テレビ等の映像（動画）を表示することができる。多目的スピーカ２ｅは、その際の音楽や音声等を出力する。カメラ２ｆは、映像や動画の撮影の他にテレビ電話の際に自分を撮すためにも使用される。また、カメラ２ｂ、２ｆにはフラッシュライト等（符号なし）が備わっており、室内や暗闇等においても被写体を鮮明に撮影することが可能となっている。
【００２８】
スライド及び開閉側ヒンジ部４は、本体側ヒンジ部３に内装され、中心軸５はスライド及び開閉側ヒンジ部４に内装される。
また、スプリング６は、中心軸５に外嵌している。スプリング６の一端（同図右端）は、中心軸５の一端（同図右端）と固着されており、他端（同図左端）は、スライド及び開閉側ヒンジ部４の内側にあるストッパ（図示せず）と当接し、弾性力が得られるように圧縮状態でスライド及び開閉側ヒンジ部４に内挿される。本体部１に対してスライド及び開閉部２をスライドさせる場合には、この弾性力によって容易にスライドが可能となる。
【００２９】
図２は、本発明の第１実施例で使用するヒンジユニットの分解図である。
同図（ａ）は、本体側ヒンジ部３を示す図である。本体側ヒンジ部３は、本体部１の側面に固着される（図３を参照）。また、内挿するスライド及び開閉側ヒンジ部４をスライドさせるためのスライド部７と、スライド及び開閉側ヒンジ部４を回転可能にするための回転用開口部８とを備えている。スライド部７は、後述する同図（ｂ）に示すガイド部９と嵌合する形状をしており、ガイド部９をスライド方向に摺動（スライド）することを可能にする。
【００３０】
回転用開口部８の同図横方向の長さは、後述する同図（ｂ）に示すガイド部９の横方向の長さとほぼ等しくなっている。これによって、内挿されたスライド及び開閉側ヒンジ部４が回転可能となっている。
同図（ｂ）は、スライド及び開閉側ヒンジ部４を示す図である。スライド及び開閉側ヒンジ部４は、スライド及び開閉部２に固着されるガイド部９を有し、本体側ヒンジ部３に内挿される。このガイド部９により、スライド及び開閉側ヒンジ部４が、本体側ヒンジ部３のスライド部７に嵌合しながらスライド方向にスライドすることが可能となる。
【００３１】
同図（ｃ）は、中心軸５を示す図である。中心軸５は、スライド及び開閉側ヒンジ部４に内挿され、中心軸５の一端（同図右端）と、本体側ヒンジ部３の一端（同図右端）とが固着される。スライド及び開閉側ヒンジ部４がスライドすることによるスライド部７及び回転用開口部８の開放部分において、ヒンジユニット内部を保護する効果を有する。例えば、ヒンジユニット内部に設置するアンテナや配線等に、前記開放部分からほこり等のゴミが入ることによる故障を防ぐことが可能となる。
【００３２】
図３は、本発明の第１実施例である折畳み型携帯端末のヒンジユニット部の断面図である。スライド及び開閉部２に固着されるスライド及び開閉側ヒンジ部４は、本体部１に固着される本体側ヒンジ部３と、本体側ヒンジ部３の一端に固着されている中心軸５とに挟装されている。したがって、スライド及び開閉部２は、中心軸５を回転軸として、回転用開口部８の開口する範囲で開閉が可能となる。
【００３３】
さらに、本体側ヒンジ部３の裏面、スライド及び開閉側ヒンジ部４の表面及び裏面、中心軸５の表面には、ストッパ１０である凹凸が設けられている。このストッパ１０が、嵌合することによって、スライド及び開閉部２の開閉角を設定することも可能となる。また、同ストッパ１０によって、同様の理由によりスライド及び開閉部２が本体部１に対してスライドした場合に、抜け落ちることを防止することが可能となる。例えば、最大までスライドさせた場合（図４（ａ）に示す状態）に１のストッパ１０の凹凸が嵌合し、また、スライド及び開閉部２を収納した場合（図５（ｂ）に示す状態）に他のストッパ１０の凹凸が嵌合するように、ストッパ１０の位置を調整しておく。  図４は、本発明の第１実施例である折畳み型携帯端末のスライド時の正面図及び側面図を示している。同図（ａ）は、本発明の第１実施例である折畳み型携帯端末をスライドさせた状態の正面図である。同図では、さらにスライド及び開閉部２側面（同図左下）にガイドストッパ１２が設けられている例を示している。
【００３４】
スライド及び開閉部２に固着されているガイド部９が、図示しない本体側ヒンジ部３のスライド部７に沿って摺動（スライド）することによって、スライド及び開閉部２が上下にスライドする。さらに、ガイドストッパ１２が、ガイドレール溝１３（同図（ｂ）参照）に嵌合しながら摺動することによって、スライド及び開閉部２が上下にスライドする時に、左右或は開閉方向にずれてしまう（或は開いてしまう）ことを防止するとともに、スライド時の強度を補強することが可能となる。このため、ガイドレール溝１３は、連続したＬ字型の溝となっている。また、スライド及び開閉部２がスライドした状態では、本体側ヒンジ部３の回転用開口部８は、中心軸５によって内部が保護されている。
【００３５】
同図（ｂ）はその左側面図であり、同図（ｃ）はその右側面図を示している。
図５は、本発明の第１実施例である折畳み型携帯端末の横開放時の上面図及び側面図である。同図（ａ）は、本発明の第１実施例である折畳み型携帯端末のスライド及び開部２をヒンジユニットを中心にして開いた状態の図を示している。スライド及び開閉部２に固着されているガイド部９が、本体側ヒンジ部３の回転用開口部８に沿って回転することによって、スライド及び開閉部２が開閉可能となっている。
【００３６】
同図（ｂ）は、同図（ａ）を閉じた状態の正面図である。また、同図（ｃ）は、同図（ａ）の裏面図を示している。
以上の構成によって、携帯端末筺体上部を縦方向にスライドさせることにより、通話、メール作成等、カメラ撮影等の操作を従来の縦型折畳型携帯端末と同様に違和感なく片手で操作することが可能であり、さらに、横向きに開閉することによって両手での端末操作が必要な場合（ゲームコンテンツ使用時、インターネット使用時、ＴＶ電話通話時、ＴＶ放送受信時等）には、その操作の利便性を向上させる。また、図５（ａ）に示すように、人間の視野により近いワイド画面（比率：縦＜横）を実現し、少ない画面スペースで最大限のワイド画面表示を可能にする。
【００３７】
ヒンジ部にスプリング等を内蔵することによって、スライド及び開閉部２をスライドする前の状態では、スプリング等が圧縮状態にあるため付勢力が常に働いており、図３で示したストッパ１０の係止を外す程度の軽い力で、スライド及び開閉部２を若干スライドさせるだけでその後は自動的にスライドすることが可能となり、片手でもスライドを容易にすることができるようになる。
【００３８】
本体部１背面に両側ボタン２０を配置することにより、ゲ−ムのファンクションキー、カメラシャッター、ＴＶのチャンネル切替等を可能にし、両手操作時の利便性を向上させることが可能となると共に、片手操作時のカメラ撮影等のボタンとしても機能を果たし従来の携帯端末の機能の利便性をより向上させる。
【００３９】
スライド及び開閉側ヒンジ部４及び中心軸５を中空構造にすることにより、本体部１との接続配線を容易にし、アンテナ等の内蔵、また強度を向上させることを可能にする。
ここで、本発明の実施例では、図２に示すヒンジユニットを使用したが、スライド及び開閉のための構造を有していればよく、同図に示す構造に限られない。例えば、図６に示すようなヒンジユニットであってもよい。
【００４０】
図６は、本発明の第１実施例で使用するヒンジユニットの変形例の図である。同図（ａ）は、本体側ヒンジ部１５を示しており、スライド部１７及び複数個から成る回転用開口部１６を有している。また、同図（ｂ）は、複数のガイド部１９を有するスライド及び開閉側ヒンジ部１８を示している。スライド及び開閉側ヒンジ部１８が回転する際には、スライド部１９が回転用開口部１６に嵌合して回転する。
【００４１】
図４、図５に示したガイドストッパ１２は、本体部１の側面に設けられていたが、図７に示すようにスライド及び開閉側ヒンジ部４の表示部１４側にあってもよい。この場合、本体部１の操作部側にはガイドレール溝１３が設けられることになる。また、同図に示すように、ガイドストッパ１２とガイドレール溝１３は、開閉位置以外では、スライド及び開閉部２が開閉しないように互いに嵌合する構造となっている。
【００４２】
さらに、本発明の第１の実施例で示したヒンジユニット（本体側ヒンジ部及び、スライド及び開閉側ヒンジ部）は、図８に示すように携帯端末の上端部にあってもよい。この場合には、スライド及び開閉部２の外面にゲームやテレビ電話等もすることができる大画面の表示部２ｄが設けられる。また、スライド及び開閉部２の内面にも図示しない表示部２ａがあってもよい。
【実施例２】
【００４３】
図９は、本発明の第２の実施例である折畳み型携帯端末の分解図である。
同図に示すように、第２の実施例の折畳み型携帯端末は、下部筐体である本体部１と、上部筐体であるスライド及び開閉部２と、本体部１の両端に固着されている本体側固着ヒンジ部２１と、本体側固着ヒンジ部２１と回転可能に挟装されている本体側回転ヒンジ部２２と、スライド及び開閉側ヒンジ部２に固着されているスライド及び開閉側ヒンジ部２３と、本体側固着ヒンジ部２１の下端部に固着される図示しない中心軸５（図１０（ｃ）参照）とで構成される。
【００４４】
また、図１と同様に本体部１には操作部が備えられており、スライド及び開閉部２には、表側と裏側（図示せず）とに表示部、カメラ撮影部が備えられている。
図１０は、本発明の第２実施例で使用するヒンジユニットの分解図である。
同図（ａ）は、本体部１の両端に固着される本体側固着ヒンジ部２１と、本体側固着ヒンジ部２１に回転可能に挟装された本体側回転ヒンジ部２２とを示す図である。本体側固着ヒンジ部２１及び本体側回転ヒンジ部２２には、同図（ｂ）に示すガイド部２３をスライドさせるためのスライド部２４を有する。本体側回転ヒンジ部２２のスライド部２４の長さは、後述する同図（ｂ）に示すガイド部２３の横方向の長さとほぼ等しくなっている。これによって、ガイド部２３に固着されたスライド及び開閉部２が回転可能となっている。
【００４５】
また、本体側固着ヒンジ部２１には、ガイド部２３がスライドして外れる（同図左方向にスライドし過ぎる）ことを防止するためのストッパ２５を有し、本体側回転ヒンジ部２２には、ガイド部２３をスライドして収納する場合の所定の位置で止めるためのストッパ２６を有する。
【００４６】
同図（ｂ）は、スライド及び開閉部２に固着され、同図（ａ）に示す本体側固着ヒンジ部２１及び本体側回転ヒンジ部２２のスライド部２４に嵌合して摺動（スライド）するためのガイド部２３を示している。このガイド部２３には、上述したスライドする範囲を制限するためのストッパ２７が備わっている。
【００４７】
同図（ｃ）は、中心軸５を示す図である。中心軸５は、本体側固着ヒンジ部２１及び本体側回転ヒンジ部２２に内挿され、中心軸５の一端（同図右端）と、本体側固着ヒンジ部２１の一端（同図右端）とが固着されている。スライド部２３がスライドすることによるスライド部２４の開放部分からヒンジユニット内部を保護する効果を有する。例えば、ヒンジユニット内部に設置するアンテナや配線等に、前記開放部分からほこり等のゴミが入ることによる故障を防ぐことが可能となる。
【００４８】
図１１は、本発明の第２実施例である折畳み型携帯端末のヒンジユニット部と本体部との固着部分における断面図である。スライド及び開閉部２に固着されるガイド部２３は、本体部１の両端に固着される本体側固着ヒンジ部２１のスライド部２４と嵌合する形状であり、スライド方向（同図の前後方向）に摺動（スライド）する。また、ガイド部２３には、スライドする範囲を制限するためのストッパ２７が備わっており、本体側固着ヒンジ部２１には、ガイド部２３がスライドして外れる（同図手前方向にスライドし過ぎる）ことを防止するためのストッパ２５が備えられている。  図１２は、本発明の第２実施例である折畳み型携帯端末のヒンジユニット部の回転部の断面図である。図１１と同様に、スライド及び開閉部２に固着されるガイド部２３は、本体側固着ヒンジ部２１に回転可能に挟装される本体側回転ヒンジ部２２のスライド部２４と嵌合し、スライド方向（同図の前後方向）に摺動（スライド）する。また、図１１と同様にガイド部２３には、スライドする範囲を制限するためのストッパ２７が備わっており、本体側回転ヒンジ部２２には、ガイド部２３がスライドして収納される場合に、スライドし過ぎることを防止するためのストッパ２６が備えられている。
【００４９】
また、ガイド部２３が、本体側回転ヒンジ部２２の回転とともに回転することにより、ガイド部２３に固着されているスライド及び開閉部２が開閉可能となる。さらに、本体側回転ヒンジ部２２の表面上に設けられたストッパ２８によって、本体側回転ヒンジ部２２の回転角が制御され、スライド及び開閉部２の開閉角が制御される。
【００５０】
ここで、図１０に示したストッパ２５、ストッパ２６及びストッパ２７の設置位置は、同図の位置に限らない。例えば、図１３に示すように本体側回転ヒンジ部２２の内部にストッパ２５及びストッパ２６があっても良い。
以上の構成によって、実施例１と同様に、携帯端末筺体上部を縦方向にスライドさせることにより、通話、メール作成等、カメラ撮影等の操作を従来の縦型折畳型携帯端末と同様に違和感なく片手で操作することが可能であり、さらに、横向きに開閉することによって両手での端末操作が必要な場合（ゲームコンテンツ使用時、インターネット使用時、ＴＶ電話通話時、ＴＶ放送受信時等）には、その操作の利便性を向上させる。また、図５（ａ）に示すように、人間の視野により近いワイド画面（比率：縦＜横）を実現し、少ない画面スペースで最大限のワイド画面表示を可能にする。
【００５１】
また、本体部１背面に両側ボタン２０（図５（ｃ）参照）を配置することにより、ゲ−ムのファンクションキー、カメラシャッター、ＴＶのチャンネル切替等を可能にし、両手操作時の利便性を向上させることが可能となると共に、片手操作時のカメラ撮影等のボタンとしても機能を果たし従来の携帯端末の機能の利便性をより向上させる。
【００５２】
さらに、中心軸５を中空構造にすることにより、本体部１との接続配線を容易にし、アンテナ等の内蔵、また強度を向上させることを可能にする。
以上の実施例１及び実施例２において、本発明の実施例で使用されるヒンジユニット（本体側ヒンジ部及びスライド及び開閉側ヒンジ部）は、断面が円形の筒状のヒンジ部から成っているが、断面が円形であることに限られない。例えば、断面が多角形であっても回転する程度の隙間を設けることによって回転可能であればよい。つまり、本体側ヒンジ部とスライド及び開閉側ヒンジ部とが回転可能で、かつスライドも可能であればよい。
【図面の簡単な説明】
【００５３】
【図１】本発明の第１実施例である折畳み型携帯端末の分解図である。
【図２】本発明の第１実施例で使用するヒンジユニットの分解図である。
【図３】本発明の第１実施例である折畳み型携帯端末のヒンジユニット部の断面図である。
【図４】本発明の第１実施例である折畳み型携帯端末のスライド時の正面図及び側面図である。
【図５】本発明の第１実施例である折畳み型携帯端末の横開放時の上面図及び側面図である。
【図６】本発明の第１実施例で使用するヒンジユニットの変形例の図である。
【図７】本発明の第１実施例の変形例を示す図である。
【図８】本発明の第１実施例の変形例を示す図である。
【図９】本発明の第２実施例である折畳み型携帯端末の分解図である。
【図１０】本発明の第２実施例で使用するヒンジユニットの分解図である。
【図１１】本発明の第２実施例である折畳み型携帯端末のヒンジユニット部と本体部との固着部分における断面図である。
【図１２】本発明の第２実施例である折畳み型携帯端末のヒンジユニット部の回転部の断面図である。
【図１３】本発明の第２実施例で使用するヒンジユニットの変形例を示す図である。
【符号の説明】
【００５４】
１      ・・・  本体部
１ａ    ・・・  操作部
１ｂ    ・・・  操作部
１ｃ    ・・・  通話マイク  ２      ・・・  スライド及び開閉部
２ａ    ・・・  表示部
２ｂ    ・・・  カメラ
２ｃ    ・・・  通話用スピーカ
２ｄ    ・・・  表示部
２ｅ    ・・・  多目的スピーカ
２ｆ    ・・・  カメラ
３      ・・・  本体側ヒンジ部
４      ・・・  スライド及び開閉側ヒンジ部
５      ・・・  中心軸
６      ・・・  スプリング
７      ・・・  スライド部
８      ・・・  回転用開口部
９      ・・・  ガイド部
１０      ・・・  ストッパ
１１      ・・・  アンテナ
１２      ・・・  ガイドストッパ
１３      ・・・  ガイドレール溝
１４      ・・・  表示部
１５      ・・・  本体側ヒンジ部
１６      ・・・  回転用開口部
１７      ・・・  スライド部
１８      ・・・  スライド及び開閉側ヒンジ部
１９      ・・・  ガイド部
２０      ・・・  ボタン
２１      ・・・  本体側固着ヒンジ部
２２      ・・・  本体側回転ヒンジ部
２３      ・・・  ガイド部
２４      ・・・  スライド部
２５      ・・・  ストッパ
２６      ・・・  ストッパ
２７      ・・・  ストッパ
２８      ・・・  ストッパ
【図１】
2005076688.tif 000003
【図２】
2005076688.tif 000004
【図３】
2005076688.tif 000005
【図４】
2005076688.tif 000006
【図５】
2005076688.tif 000007
【図６】
2005076688.tif 000008
【図７】
2005076688.tif 000009
【図８】
2005076688.tif 000010
【図９】
2005076688.tif 000011
【図１０】
2005076688.tif 000012
【図１１】
2005076688.tif 000013
【図１２】
2005076688.tif 000014
【図１３】
2005076688.tif 000015